(57)【特許請求の範囲】
【請求項１】
這樋を取り付ける本体と、瓦の厚みより若干大きな距離を隔ててほぼ平行な上板と下板が縦材で連結されたコ字形の止め具と、止め具の上板と本体とを連結するネジシャフトとからなる這樋取付具であって、前記止め具の上板にネジ孔が設けられ、前記ネジシャフトの上端部が本体に回転自在に連結され、ネジシャフトの下部が止め具の上板に設けられたネジ孔に出入自在に螺入されていることを特徴とする這樋取付具。
【請求項２】
這樋を取り付ける本体と、瓦の厚みより若干大きな距離を隔ててほぼ平行な上板と下板が縦材で連結されたコ字形の止め具と、止め具の上板と本体とを連結するネジシャフトとからなる這樋取付具であって、前記本体には多角形の通孔が設けられ、前記ネジシャフトの上端面には本体の多角形の通孔に緩く嵌合する多角形の突起が設けられ、前記止め具の上板にネジ孔が設けられ、ネジシャフトの上端面の突起が本体の通孔に嵌合されてネジシャフトと本体とが連結され、ネジシャフトの下部が止め具の上板に設けられたネジ孔に出入自在に螺入されていることを特徴とする這樋取付具。
【請求項３】
這樋を取り付ける本体と、瓦の厚みより若干大きな距離を隔ててほぼ平行な上板と下板が縦材で連結されたコ字形の止め具と、止め具の上板と本体とを連結するネジシャフトとからなる這樋取付具であって、前記本体には多角形の通孔が設けられ、前記ネジシャフトの上端面には本体の多角形の通孔に緩く嵌合する多角形の突起が設けられ、前記止め具の上板にネジ孔が設けられ、ネジシャフトの上端面の突起が本体の通孔に嵌合されてネジシャフトと本体とが連結され、ネジシャフトの下部が止め具の上板に設けられたネジ孔に出入自在に螺入されてネジシャフトの先端が上板の下方に突出し、この突出しているネジシャフトの下端に押さえ板が回転自在に取り付けられていることを特徴とする這樋取付具。
【請求項４】
押さえ板の下面に凹凸が設けられていることを特徴とする請求項３記載の這樋取付具。
【請求項５】
止め具の上板と縦材に跨がって補強リブが設けられていることを特徴とする請求項１〜４記載の這樋取付具。
【発明の詳細な説明】
【０００１】
【発明の属する技術分野】
本発明は這樋を瓦に取り付ける這樋取付具に関する。
【０００２】
【従来の技術】
従来、這樋を瓦に取り付ける這樋取付具としては種々あるが、多く使用されている這樋取付具としては、実公昭５４−１６０６号公報に記載されている這樋取付具がある。
この這樋取付具は、這樋を取り付ける本体と、瓦の厚みより若干大きな距離を隔ててほぼ平行な上板と下板が縦材で連結されたコ字形の止め具とからなり、この止め具の上板には下方に突出している突出部が設けられ、この止め具の上板に本体が固着されたものである。
【０００３】
この這樋取付具は次のようにして使用する。
即ち、先ず、止め具の上板と下板との間に瓦を水下側から挿入する。すると、上板に設けられた突出部と下板との間に瓦を挟持した状態にして止め具が瓦に取り付けられる。
このようにして止め具を瓦に取り付けた後、本体に這樋を取り付けて使用する。
【０００４】
【発明が解決しようとする課題】
しかし、このようにして這樋取付具を取り付けて使用していると、這樋取付具は止め具の上板と下板とで瓦を挟んでいるだけであるから、使用中に風等が強く吹くと、這樋取付具が移動し易く、従って、這樋が固定し難いという問題がある。
又、最近では和瓦やセンメト瓦等の厚みの異なる瓦が多数使用されているが、上記這樋取付具では、上板の突出部と下板とで瓦を挟んで取り付けるから、この突出部と下板との距離によって取り付けることができる瓦の厚みがほぼ限定され、種々な厚みの異なる瓦に適応できないという問題がある。
【０００５】
又、一般に、這樋を取り付ける１枚の瓦の勾配と多段に葺かれた瓦に沿って取り付けられている這樋とでは勾配が異なる。しかも、この勾配の差は瓦の厚みが異なると異なる。しかし、止め具に本体が固着されていると、この止め具に本体が一定角度に固定されるので、瓦の勾配と這樋の勾配の差が異なると適応できないという問題がある。
そこで、本発明の目的は厚さが異なっても瓦に止め具を強固に取り付けることができる這樋取付具を提供することである。
本発明の他の目的は、瓦の勾配と這樋の勾配の差が異なっても適応できる這樋取付具を提供することである。
【０００６】
【課題を解決するための手段】
本発明は上記目的を達成するためになされたものであって、請求項１記載の発明は、這樋を取り付ける本体と、瓦の厚みより若干大きな距離を隔ててほぼ平行な上板と下板が縦材で連結されたコ字形の止め具と、止め具の上板と本体とを連結するネジシャフトとからなる這樋取付具であって、前記止め具の上板にネジ孔が設けられ、前記ネジシャフトの上端部が本体に回転自在に連結され、ネジシャフトの下部が止め具の上板に設けられたネジ孔に出入自在に螺入されているものである。
【０００７】
請求項２記載の発明は、這樋を取り付ける本体と、瓦の厚みより若干大きな距離を隔ててほぼ平行な上板と下板が縦材で連結されたコ字形の止め具と、止め具の上板と本体とを連結するネジシャフトとからなる這樋取付具であって、前記本体には多角形の通孔が設けられ、前記ネジシャフトの上端面には本体の多角形の通孔に緩く嵌合する多角形の突起が設けられ、前記止め具の上板にネジ孔が設けられ、ネジシャフトの上端面の突起が本体の通孔に嵌合されてネジシャフトと本体とが連結され、ネジシャフトの下部が止め具の上板に設けられたネジ孔に出入自在に螺入されているものである。
【０００８】
請求項３記載の発明は、這樋を取り付ける本体と、瓦の厚み若干より大きな距離を隔ててほぼ平行な上板と下板が縦材で連結されたコ字形の止め具と、止め具の上板と本体とを連結するネジシャフトとからなる這樋取付具であって、前記本体には多角形の通孔が設けられ、前記ネジシャフトの上端面には本体の多角形の通孔に緩く嵌合する多角形の突起が設けられ、前記止め具の上板にネジ孔が設けられ、ネジシャフトの上端面の突起が本体の通孔に嵌合されてネジシャフトと本体とが連結され、ネジシャフトの下部が止め具の上板に設けられたネジ孔に出入自在に螺入されてネジシャフトの先端が上板の下方に突出し、この突出しているネジシャフトの下端に押さえ板が回転自在に取り付けられているものである。
【０００９】
請求項４記載の発明は、請求項３記載の発明における押さえ板の下面に凹凸が設けられているものである。
【００１０】
請求項５記載の発明は、請求項１〜４記載の発明における止め具の上板と縦材に跨がって補強リブが設けられているものである。
【００１１】
請求項２記載の発明と請求項３記載の発明では、本体には多角形の通孔が設けられ、ネジシャフトの上端面には本体の多角形の通孔が緩く嵌合する多角形の突起が設けられていて、ネジシャフトの上端面の突起が本体の通孔に嵌合されてネジシャフトと本体とが連結されているから、この本体が止め具に上下左右に回動可能になっている。この上下左右に回動する角度は緩く嵌合される程度によって異なる。本発明では、この角度を５°前後にすることが好ましい。又、この多角形の形状としては適宜でよいが三角形や四角形が好適である。
【００１２】
又、請求項３記載の発明では、ネジシャフトの下端に押さえ板が回転自在に取り付けられている。そして、この押さえ板は瓦の表面に密着して押さえ板と下板とで瓦を挟んで止め具を固定するものである。従って、押さえ板を上下左右に回動する構造にすると押さえ板が瓦に密着し易くなるので好ましい。この上下左右に回動する角度は５°前後が好ましい。
【００１３】
請求項４記載の発明では、押さえ板の下面に凹凸を設けているが、この凹凸は押さえ板自体を成形して凹凸にしてもよいし、下面に珪砂等の粒子を付着させて凹凸にしてもよい。
請求項５記載の発明では、止め具の上板と縦材に跨がって補強リブが設けられているが、この補強リブは上板や縦材自体を湾曲させたり折曲させてリブを設けてもよいし、上板と縦材に跨がって板材を取り付けてリブにしてもよい。
【００１４】
（作用）
請求項１記載の本発明の這樋取付具で這樋を取り付ける方法を説明しながら作用について説明する。
先ず、止め具の上板と下板との間に瓦を水下側から挿入する。
この際、止め具は瓦の厚みより若干大きな距離を隔ててほぼ平行な上板と下板が縦材で連結されたコ字形をしているから、上板と下板との間に瓦を支障なく挿入することができる。
【００１５】
次に、ネジシャフトが回転しなくなるまで、ネジシャフトを上板のネジ孔に螺入する。
すると、請求項１記載の発明では、ネジシャフトの下部が止め具の上板に設けられたネジ孔に出入自在に螺入されているから、ネジシャフトの先端が上板から突出し、この突出したネジシャフトの下端で瓦を押圧する。その結果、ネジシャフトの先端と下板とで瓦を挟持し、止め具が瓦に強固に取り付けられる。
このように、ネジシャフトを止め具の上板から螺入して取り付けるから、薄い瓦の場合にはネジシャフトを深く螺入し、厚い瓦の場合にはネジシャフトを浅く螺入するというようにネジシャフトの螺入深さを調節することにより、瓦の厚みが異なっていても強固に取り付けることができる。
【００１６】
最後に、本体を這樋の取り付け易い方向に向けて這樋を取り付ける。
すると、請求項１記載の発明では、ネジシャフトの上端部が本体に回転自在に連結されているから、本体を這樋の取り付け易い方向に向けることができる。
【００１７】
請求項２記載の発明では、先ず、止め具の上板と下板との間に瓦を水下側から挿入することは請求項１記載の発明と同様である。
次に、本体を持って回転しなくなるまでネジシャフトを回転させて、ネジシャフトを上板のネジ孔に螺入する。
すると、請求項２記載の発明では、ネジシャフトの上端面の多角形の突起が本体の多角形の通孔に嵌合されて連結されているから、本体を持ってネジシャフトを回転させることができる。又、ネジシャフトが回転しなくなるまで螺入したときに、本体が這樋を取り付け難い方向に向いている場合には、瓦とネジシャフトの先端との間に詰め物をしてネジシャフトの螺入深さを調節して本体を這樋の取り付け易い方向に向ける。
【００１８】
このようにネジシャフトを回転しなくなるまで回転させると、請求項２記載の発明では、ネジシャフトの下部が止め具の上板に設けられたネジ孔に出入自在に螺入されているから、請求項１記載の発明と同様に、瓦をネジシャフトの先端と下板とで挟持し、止め具を瓦に強固に取り付けることができる。又、ネジシャフトの螺入深さを調節することにより、瓦の厚みが異なっていても強固に取り付けることができる。
【００１９】
最後に、本体に這樋を取り付ける。
すると、請求項２記載の発明では、本体には多角形の通孔が設けられ、ネジシャフトの上端面には本体の多角形の通孔が緩く嵌合する多角形の突起が設けられ、ネジシャフトの上端面の突起が本体の通孔に嵌合されてネジシャフトと本体とが連結されているから、本体を上下左右に回動させることができる。即ち、瓦の厚みが異なり、その結果、瓦の勾配と這樋の勾配の差が異なっていても、本体を上下左右に回動させることによって瓦と這樋の種々な勾配の差に適応させることができる。
【００２０】
請求項３記載の発明では、先ず、止め具の上板と下板との間に瓦を水下側から挿入することは請求項１記載の発明と同様である。
次に、ネジシャフトが回転しなくなるまで、本体を持ってネジシャフトを回転させて、ネジシャフトを上板のネジ孔に螺入する。
この際、請求項３記載の発明では、ネジシャフトの上端面の多角形の突起が本体の多角形の通孔に嵌合されて連結されているから、請求項２記載の発明と同様に、本体を持ってネジシャフトを回転させることができる。
【００２１】
このようにネジシャフトを回転しなくなるまで回転させると、請求項３記載の発明では、ネジシャフトの下部が止め具の上板に設けられたネジ孔に出入自在に螺入されてネジシャフトの先端が上板の下方に突出し、この突出したネジシャフトの下端に押さえ板が回転自在に取り付けられているから、ネジシャフトの先端が上板から下方に突出し、この突出したネジシャフトの下端に設けられている押さえ板で瓦が押圧され、瓦を押さえ板と下板とで挟持し、止め具が瓦に強固に取り付けられる。
【００２２】
この際、請求項３記載の発明では、ネジシャフトの下端に押さえ板が回転自在に設けられているから、ネジシャフトが螺入時に回転していても、押さえ板が回転することなく瓦の表面を押圧して、瓦を傷つけることなく押さえ板と下板との間に瓦を挟んで強固に止め具を瓦に取り付けることができるし、ネジシャフトの先端より面積の大きな押さえ板が瓦の表面を押圧するから、瓦が割れることがない。
このように、ネジシャフトを止め具の上板から螺入して取り付けるから、薄い瓦の場合にはネジシャフトを深く螺入し、厚い瓦の場合にはネジシャフトを浅く螺入するというようにネジシャフトの螺入深さを調節してネジシャフトの突出長さを調節することにより、瓦の厚みが異なっていても強固に取り付けることができる。
【００２３】
最後に、本体に這樋を取り付ける。
すると、請求項３記載の発明では、本体には多角形の通孔が設けられ、ネジシャフトの上端面には本体の多角形の通孔が緩く嵌合する多角形の突起が設けられ、ネジシャフトの上端面の突起が本体の通孔に挿入されて連結されているから、請求項２記載の発明と同様に、瓦の厚みが異なり、この結果、瓦の勾配と這樋の勾配の差が異なっても、この異なっている勾配の差に適応させることができる。
【００２４】
請求項４記載の発明では、請求項３記載の押さえ板の下面に凹凸が設けられているから、この押さえ板で瓦を押圧すると、この凹凸の下面が瓦の表面を押して止め具が瓦に滑らないよう強固に固定することができる。
請求項５記載の発明では、止め具の上板と縦材に跨がって補強リブが設けられているから、ネジシャフトを螺入してネジシャフトの先端または押さえ板で瓦を押圧したとき、反作用により上板に上方に押す力が加わるが、この補強リブによって上板と縦材の機械的強度が大きくなっているので、上板や縦材が撓んだり折れたりすることがない。
【００２５】
【発明の実施の形態】
次に、本発明の実施の形態を説明する。
（実施例１）
図１〜図３は本発明這樋取付具の一実施例を示すもので、図１（イ）は這樋取付具の正面図、（ロ）は（イ）の平面図、（ハ）は（イ）のＡ−Ａ線における断面図、図２は這樋取付具の使用状態を示す説明図、図３は這樋を取り付ける前の図２のＢ部分を拡大して示す説明図である。
【００２６】
図１〜図３において、６は屋根であり、６５は屋根６に取り付けられた瓦である。
７は這樋であり、この這樋７は両側に窪み７１が設けられている筒状体であり、瓦６５の上に後述の這樋取付具１で取り付けられている。
８はエルボであり、このエルボ８は這樋７の先端と樋７５とを連結するものである。
９は軒樋であり、鼻隠し板からなる軒先９５に沿って軒樋吊り具９６で取り付けられている。
【００２７】
１は這樋取付具であり、この這樋取付具１は本体２と止め具３とからなる。
本体２は半円形状の帯状体であり、この本体の両側端には這樋７の窪み７１に嵌まる突起２１、２１が内方に突出して設けられ、本体２の中央部にはほぼ四角形の通孔２２が設けられている。
止め具３は瓦の厚みより若干大きな距離を隔ててほぼ平行な上板３１と下板３２が縦材３３で連結されてコ字形に形成されたものである。
上板３１のほぼ中央には筒状３７に盛り上がっていて、この盛り上がった筒状３７の内面には、雌ネジ３８が設けられてネジ孔３４となっている。又、上板３１から縦材３３にかけて湾曲状に盛り上がった凸条からなる補強リブ３５が２本設けられている。
【００２８】
４はネジシャフトであり、このネジシャフト４の外周面には、止め具３の雌ネジ３８に螺合する雄ネジ４８が設けられている。又、このネジシャフト４の先端には、本体２の通孔２２に緩く嵌まるほぼ四角形の突起４２が設けられ、更に、この突起４２の先端に鍔部４３が設けられている。又、ネジシャフト４の下端面には、先端が尖った突起４４が設けられている。
【００２９】
このネジシャフト４の先端に設けられているほぼ四角形の突起４２が本体２のほぼ四角形の通孔２２に挿入されている。すると、緩く嵌まるために、本体２が上下左右にほぼ５°回動できるようになっている。又、突起４２の先端には鍔部４３が設けられているから、突起４２から本体２が抜けないようになっている。又、このネジシャフト４の雄ネジ４８が止め具３の雌ネジ３８に螺入されて、先端が上板３１の下方に突出している
【００３０】
次に、この這樋取付具の使用方法および作用について説明する。
先ず、図２および図３に示すように、止め具３の上板３１と下板３２との間に瓦６５を水下側から挿入する。
すると、止め具３は瓦６５の厚みより大きな距離を隔ててほぼ平行な上板３１と下板３２が縦材３３で連結されたコ字形をしているから、上板３１と下板３２との間に瓦６５を支障なく挿入することができる。
次に、本体２を持ってネジシャフト４を回転させて、ネジシャフト４が回転しなくなるまで、ネジシャフト４を上板３１のネジ孔３４に螺入する。
この際、ネジシャフト４の上端面の四角形の突起４２が本体２の四角形の通孔２２に挿入されて連結されているから、本体２を持ってネジシャフト４を回転させることができる。
【００３１】
このようにシャフト４を回転しなくなるまで回転させると、ネジシャフト４の下部が上板３１から突出し、この突出したネジシャフト４の下端の突起４４が瓦６５に突き刺さって瓦６５を押圧する。その結果、瓦６５をネジシャフト４の先端と下板３２とで挟持し、止め具３が瓦６５に強固に取り付けられる。
この際、ネジシャフト４の先端が瓦６５を押圧すると、反作用により上板３１を上方に押す力が加わるが、止め具３の上板３１と縦材３３に跨がって補強リブ３５が設けられているから、上板３１や縦材３３が撓んだり折れたりすることがない。
【００３２】
このように、ネジシャフト４を止め具３の上板３１から螺入して取り付けるから、薄い瓦の場合にはネジシャフト４を深く螺入し、厚い瓦の場合にはネジシャフト４を浅く螺入するというようにネジシャフト４の螺入深さを調節することにより、瓦６５の厚みが異なっていても強固に取り付けることができる。
次に、ネジシャフト４が回転しなくなるまで螺入したときに、本体２の向く方向が這樋６を取り付け難い方向に向いている場合には、瓦６５とネジシャフト４の先端との間に詰め物をしてネジシャフト４の螺入深さを調節して本体２を這樋６を取り付け易い方向に向ける。
【００３３】
最後に、這樋７の両側の窪み７１に本体２の突起２１を嵌めて本体に這樋７を取り付ける。
すると、本体２にはほぼ四角形の通孔２２が設けられ、ネジシャフト４の上端面には本体２のほぼ四角形の通孔２２が緩く嵌合するほぼ四角形の突起４２が設けられていて、ネジシャフト４の上端面の突起４２が本体２の通孔２２に挿入されてネジシャフトと本体とが連結されているから、本体２が上下左右に回動するようになっている。
このようになっているから、瓦６５の厚みが異なり、一枚の瓦６５の勾配と這樋７の勾配の差が異なっても、この異なっている勾配に適応させることができる。
【００３４】
（実施例２）
図４は本発明這樋取付具の他の実施例を示すもので、図４は這樋取付具の断面図である。
【００３５】
図４に示す実施例２を図１〜図３に示す実施例１と比較すると、本体２ａの中央部にほぼ円形の通孔２２ａが設けられ、ネジシャフト４ａの先端には、本体２ａの通孔２２ａに緩く嵌まる断面円形状の突起４２ａが設けられ、更に、この突起４２ａの先端に鍔部４３ａが設けられて、この本体２ａの通孔２２ａにネジシャフト４ａの突起４２ａを回転自在に連結していること、および、この鍔部４３ａの上端面にドライバーの先端を嵌めることができる溝４５ａが設けられていることが異なる。
【００３６】
そして、このようになっているから、止め具３ａの上板３１ａと下板３２ａとの間に瓦６５ａを水下側から挿入した後、ドライバーの先端をネジシャフト４ａの上端に設けられている溝４５ａに止着し、このドライバーでネジシャフト４ａが回転しなくなるまで、ネジシャフト４ａを上板３１ａのネジ孔３４ａに螺入することができること、および、ネジシャフト４ａの円形の突起４２ａが本体２ａの通孔２２ａに回転自在に連結されているから、ネジシャフト４ａをネジ孔３４ａに螺入した後に本体２ａを這樋を取り付け易い方向に向けることができることが異なる。
【００３７】
その他の構造および使用方法や作用は図１〜図３に示す実施例１と同じであるから説明を省略する。
【００３８】
（実施例３）
図５〜図７は本発明這樋取付具の別の実施例を示すもので、図５（イ）は這樋取付具の正面図、（ロ）は（イ）の平面図、（ハ）は（イ）の底面図、（ニ）は（イ）のＣ−Ｃ線における断面図、図６は這樋取付具の使用状態を示す説明図、図７は這樋を取り付ける前の図６のＤ部分を拡大して示す説明図である。
【００３９】
図５〜図７に示す実施例３を図１〜図３に示す実施例１と比較すると、押さえ板５ｂのほぼ中央に断面円形状の通孔５１ｂが設けられ、この通孔５１ｂに緩く嵌まる突起４５ｂがネジシャフト４ｂの下端に設けられていること、そして、ネジシャフト４ｂの雄ネジ４８ｂが止め具３ｂの雌ネジ３８ｂに螺入され、ネジシャフト４ｂの下端が上板３１ｂの下方に突出し、この下端に設けられている突起４９ｂが通孔５１ｂに緩く嵌まっていること、即ち、押さえ板５ｂがネジシャフト４ｂの下部に回動自在に取り付けられていること、そして、ネジシャフト４ｂの先端には押さえ板５ｂが外れないように鍔４６ｂが取り付けられていることが異なる。又、瓦６５ｂの厚みが薄いことが異なる。
【００４０】
そして、本体２ｂを持ってネジシャフト４ｂを回転させると、図７に示すように、ネジシャフト４ｂの先端が上板３１ｂから突出し、この突出したネジシャフト４ｂの下端に設けられている押さえ板５ｂが瓦６５ｂを押圧して、瓦６５ｂをネジシャフトの先端と下板３２ｂとで挟持して、止め具３ｂが瓦６５ｂに強固に取り付けられる。
【００４１】
この際、ネジシャフト４ｂの下端に押さえ板５ｂが回転自在に設けられているから、ネジシャフト４ｂが螺入時に回転しても押さえ板５ｂが回転することなく瓦６５ｂの表面を押圧して瓦６５ｂを傷付けることなく押さえ板５ｂと下板３２ｂとの間に瓦６５ｂを挟んで強固に瓦を取り付けることができる。又、ネジシャフト４ｂの先端より面積の大きな押さえ板５ｂで瓦６５ｂの表面を押圧するから、瓦６５ｂが割れ難い。又、ネジシャフト４ｂの螺入する深さを変えることにより、実施例１より薄い瓦６５ｂでも支障なく取り付けることができる。
【００４２】
その他の構造および使用方法や作用は図１〜図３に示す実施例１と同じであるから説明を省略する。
【００４３】
（実施例４）
図８は本発明這樋取付具の更に別の実施例を示すもので、（イ）は這樋取付具の断面図、（ロ）は（イ）のＥ部分を拡大して示す説明図である。
【００４４】
図８に示す実施例４を図５〜図７に示す実施例３と比較すると、押さえ板５ｃの下面に石英砂５３ｃが接着されて凹凸５４ｃが形成されていることが異なる。このように押さえ板５ｃの下面が凹凸５４ｃとなっていると、ネジシャフト４ｃを回転させて、この押さえ板５ｃで瓦を押圧すると、押さえ板５ｃが滑らないように強固に瓦に付着し、止め具３ｃを瓦に取り付けることができる。
その他の構造および使用方法や作用は図５〜図７に示す実施例３と同じであるから説明を省略する。
【００４５】
【発明の効果】
本発明では、止め具は瓦の厚みより大きな距離を隔ててほぼ平行な上板と下板が縦材で連結されたコ字形をしているから、上板と下板との間に瓦を挿入することができる。
【００４６】
請求項１記載の発明では、ネジシャフトの下部が止め具の上板に設けられたネジ孔に出入自在に螺入されているから、ネジシャフトを上板のネジ孔に螺入すると、ネジシャフトの先端が上板から突出し、この突出したネジシャフトの下端で瓦を押圧して、止め具を瓦に強固に取り付けることができるので、風等が強く吹いても這樋取付具が移動することがなく安心である。
このように、ネジシャフトを止め具の上板から螺入して取り付けることができるから、薄い瓦でも、又、厚い瓦でも、ネジシャフトの螺入深さを調節することにより、止め具を瓦に強固に取り付けることができるので、瓦の厚みが異なっても支障なく強固に取り付けることができる。
【００４７】
請求項１記載の発明では、ネジシャフトの上端部が本体に回転自在に連結されているから、本体を這樋の取り付け易い方向に向けて這樋を取り付けることができる。
【００４８】
請求項２記載の発明では、ネジシャフトの上端面の多角形の突起が本体の多角形の通孔に嵌合されてネジシャフトと本体とが連結されているから、本体を持ってネジシャフトを回転させることができる。従って、トライバー等の道具が必要でなく便利である。
【００４９】
請求項２記載の発明では、ネジシャフトの下部が止め具の上板に設けられたネジ孔に出入自在に螺入されているから、ネジシャフトを止め具の上板に螺入すると、請求項１記載の発明と同様に、ネジシャフトの先端が下板から突出し、この突出したネジシャフトの下端で瓦を押圧して、止め具を瓦に強固に取り付けることができるので、風等が強く吹いても這樋取付具が移動することがなく安心である。
このように、ネジシャフトを止め具の上板から螺入して取り付けることができるから、請求項１記載の発明と同様に、薄い瓦でも、又、厚い瓦でも、ネジシャフトの螺入深さを調節することにより、瓦の厚みが異なっていても強固に取り付けることができ便利である。
【００５０】
請求項２記載の発明では、本体には多角形の通孔が設けられ、ネジシャフトの上端面には本体の多角形の通孔が緩く嵌合する多角形の突起が設けられ、ネジシャフトの上端面の突起が本体の通孔に嵌合されて連結されているから、請求項１記載の発明と同様に、本体を上下左右に回動させることによって瓦と這樋の異なる勾配に適応させることができる。
【００５１】
請求項３記載の発明では、ネジシャフトの上端面の多角形の突起が本体の多角形の通孔に嵌合されて連結されているから、請求項２記載の発明と同様に、本体を持ってネジシャフトを回転させることができる。
このようにシャフトを回転しなくなるまで回転させると、請求項３記載の発明では、ネジシャフトの下部が止め具の上板に設けられたネジ孔に出入自在に螺入されてネジシャフトの先端が上板の下方に突出し、この突出したネジシャフトの下端に押さえ板が回転自在に取り付けられているから、ネジシャフトの先端が下板から突出し、この突出したネジシャフトの下端に設けられている押さえ板で瓦が押圧され、瓦をネジシャフトの先端と下板とで挟持し、止め具が瓦に強固に取り付けられる。従って、風が強く吹いても這樋取付具が移動することがなく安心である。
【００５２】
この際、請求項３記載の発明では、ネジシャフトの下端に押さえ板が回転自在に設けられているから、瓦を傷つけることなく押さえ板と下板との間に瓦を挟んで強固に止め具を瓦に取り付けることができるし、ネジシャフトの先端より面積の大きな押さえ板が瓦の表面を押圧するから、瓦が割れることがない。
このように、ネジシャフトを止め具の上板から螺入して取り付けるから、請求項２記載の発明と同様に、瓦の厚みが異なっていても強固に取り付けることができるので便利である。
【００５３】
請求項３記載の発明では、本体には多角形の通孔が設けられ、ネジシャフトの上端面には本体の多角形の通孔が緩く嵌合する多角形の突起が設けられ、ネジシャフトの上端面の突起が本体の通孔に挿入されてネジシャフトと本体とが連結されているから、請求項２記載の発明と同様に、瓦の厚みが異なり、この結果、瓦の勾配と這樋の勾配の差が異なっても、この異なっている勾配の種々な差に適応させることができる。
【００５４】
請求項４記載の発明では、請求項３記載の押さえ板の下面に凹凸が設けられているから、この押さえ板で瓦を押圧すると、この凹凸の下面が瓦の表面を押して止め具が瓦に滑らないよう強固に固定することができるので安心である。
【００５５】
請求項５記載の発明では、止め具の上板と縦材に跨がった補強リブが設けられているから、ネジシャフトを螺入してネジシャフトの先端または押さえ板で瓦を押圧したとき、反作用により上板に上方に押す力が加わるが、この補強リブによって上板と縦材とは機械的強度が大きくなっているので、上板や縦材が撓んだり折れたりすることがないので安心であるし、同じ強度にすると、上板や縦材の材質を薄くすることができ安価となる。
【図面の簡単な説明】
【図１】本発明の一実施例を示すもので、（イ）は這樋取付具の正面図、（ロ）は（イ）の平面図、（ハ）は（イ）のＡ−Ａ線における断面図である。
【図２】這樋取付具の使用状態を示す説明図である。
【図３】図２のＢ部分を拡大して示す説明図である。
【図４】本発明の他の実施例を示すもので、這樋取付具の正面図である。
【図５】本発明の別の実施例を示すもので、（イ）は這樋取付具の正面図、（ロ）は（イ）の平面図、（ハ）は（イ）の底面図、（ニ）は（イ）のＣ−Ｃ線における断面図である。
【図６】這樋取付具の使用状態を示す説明図である。
【図７】図２のＤ部分を拡大して示す説明図である。
【図８】本発明の更に別の実施例を示すもので、這樋取付具の正面図である。
【符号の説明】
１                      這樋取付具
２、２ａ                本体
２２、２２ａ            通孔
３、３ａ、３ｃ          止め具
３１、３１ａ            上板
３２、３２ａ            下板
３３                    縦材
３４、３４ａ            ネジ孔
３５                    補強リブ
４、４ａ、４ｂ          ネジシャフト
４２、４２ａ            突起
５ｂ、５ｃ              押さえ板
５１ｂ                  通孔
５４ｂ                  凹凸
６                      屋根
６５、６５ａ            瓦
７                      這樋
【図１】
0003707886.tif 000002
【図２】
0003707886.tif 000003
【図３】
0003707886.tif 000004
【図４】
0003707886.tif 000005
【図５】
0003707886.tif 000006
【図６】
0003707886.tif 000007
【図７】
0003707886.tif 000008
【図８】
0003707886.tif 000009